(57)【要約】【課題】  本考案は、高齢者が散歩のとき、転倒により発生が心配される脛部や膝部を怪我から守り、或いは岩場の続く登山道や藪こぎ山行のとき、登山者の脛部や膝部を保護する脛保護体を提供しようとするものである。【解決手段】  上部が広く長手方向下方に向うに従い細幅形を呈し、バンド通し孔を有する突片を上辺略中央部と、上方両側部の対称位置と、下方両側部の対称位置とに備えるとともに、複数の孔と突条補強用リブを適宜位置に一方向に偏ることなくバランス良く設け、また、下方部表面には多数の突起物を設け、且つ、略円形を呈する膝保護体の円周縁に、適宜位置に略対称的で、前記の突片と略三角形形成する位置にバンド通し孔を有する突片を備えて解決手段としている。【選択図】図１
0003131975.tif 000002
【実用新案登録請求の範囲】
【請求項１】
上部が広く長手方向下方に向うに従い細幅形を呈し、バンド通し孔を有する突片を上辺略中央部と、上方両側部の対称位置と、下方両側部の対称位置とに備えるとともに、複数の孔と突条補強用リブを適宜位置に一方向に偏ることなくバランス良く設けたことを特徴とする歩行用脛保護体。
【請求項２】
上部が広く長手方向下方に従い細幅形を呈する下方部表面に、多数の突起物を設けた事を特徴とする請求項１記載の歩行用脛保護体。
【請求項３】
略円形を呈する膝保護体の円周縁適宜位置に、略対称位置にバンド通し孔を有する２ケの突片を備え、且つ、この位置と略三角形を形成する位置には、バンド通し孔を有する突片を設けた膝保護体を、前記保護体１と連結着脱自在としたことを特徴とする請求項１記載の歩行用脛保護体。
【考案の詳細な説明】
【技術分野】
【０００１】  本考案は、木々や岩場に脛を当てた時や転倒して脛を打ったときなど、痛みや怪我から守る保護体を提供するもので、岩場の続くところや藪の中を進む登山のとき、或いは高齢者の散歩の時に脛に装着して使用する保護体に関するものである。
【背景技術】
【０００２】  高齢者が散歩のとき、転倒して脚部を怪我する話を耳にする事はしばしばであり、また、岩場の続く登山道や藪こぎ山行と称される道の無い藪の山中を、コンパスを頼りに進む登山のとき、脛を木々や岩に打ち当て痛みに悲鳴を上げた話もまたよく聞くところである。
しかしながら、軽量で且つ歩行を妨げず、その上、着脱が容易で使い勝手が良い理想的な保護体が見当たらなかった。類するものとしてはキャッチャーやサッカー選手が使用するシンガードが存在するが、求めるものにはほど遠い。
そこで、上記のような点を解消するために案出されたものが本考案で、上記の要求を満足する脛保護体となっている。
【考案の開示】
【考案が解決しようとする課題】
【０００３】  高齢者が散歩のとき、転倒して脛部を或いは膝部を打って発生する怪我から守り、或いは岩場の続く登山道や藪こぎ山行のとき、登山者の脛部や膝部を保護する脛保護体を提供しようとするものであって、本考案は、求められる課題、即ち軽量で且つ歩行を妨げず、その上、着脱が容易で使い勝手が良く一定の効果を有するものであること。これらの課題を解決するものである。
【課題を解決するための手段】
【０００４】  上部が広く長手方向下方に向うに従い細幅形を呈し、バンド通し孔を有する突片を上辺略中央部と、上方両側部の対称位置と、下方両側部の対称位置とに備えるとともに、複数の孔と突条補強用リブを適宜位置に一方向に偏ることなくバランス良く設けたことを特徴とし、且つ、略円形を呈する膝保護体の円周縁に、略対称的適宜位置と、この位置と略三角形を形成する位置にバンド通し孔を有する突片を備えて、該膝保護体を連結着自在としている。
さらに、上部が広く長手方向下方に従い細幅形を呈する下方部表面に、多数の突起物を設け課題を解決するための手段としている。
【考案の効果】
【０００５】  本考案は、上記のような手段で課題を解決しようとするものなので、次のような効果を奏するものである。
（１）上部が広く長手方向下方に従い細幅形を呈しているので、脛にフイットする形状となっているので、装着に違和感が無い。
（２）上辺の略中央部にバンド通し孔を備えた突片が設けられているので、着脱が自在に且つ簡単に別体の膝保護体を接続できる。
（３）上方両側部並びに下方両側部の対称位置にはバンド通し孔を備えた突片が設けられているので、該片にバンドを取り付ければ（図示省略）このバンドで脛に簡単に装着することができる。
（４）適宜位置にバランスよく配されて設けられている複数の孔は、軽量化を図るともに夏場の使用のときは蒸れを防止する役割を果たし、突条補強用リブを設けることにより強度が増している。
（５）下方部表面には多数の突起物を設けることで、ストッキングのずれ落ち防止の効果を奏している。
【考案を実施するための最良の形態】
【０００６】  本考案の歩行用脛保護体は、柔軟性や弾力性を有するとともに軽量で加工性に富む例えばシリコンゴムなどで作られる事が望ましく、実施するための最良の形態は、上部が広く長手方向下方に向うに従い細幅形を呈していて、
上辺の略中央部にバンド通し孔１０を備えた突片４を設け、且つ上方両側部と下方両側部の対称位置にバンド通し孔９を備えた突片２，３を設けるとともに、少なくとも該突片２，３間に突条補強用リブを設けるとともに、一方に偏ることなく、複数の孔をバランス良く適宜位置に設ける。
更に、下方部の表面には、多数の突起物８を設けて構成したことを特徴としている。
【実施例】
【０００７】  本考案の実施例を図面に基づき説明する。
図１は本考案の歩行用脛保護体１の全体を示し、この保護体は柔軟性や弾力性を有し且つ、軽量で加工性に富む例えばシリコンゴムなどで作られ、上部が広く長手方向下方に向うに従って細幅形を呈していている。【０００８】  前記保護体１の上辺には、略中央部にバンド通し孔１０を有する突片４を備え、上方の両側部と下方の両側部の対称位置にはバンド通し孔９を有する突片２，３を備えていて、
また、一方に偏ることなく、全体的にバランス良く軽量を図るとともに蒸れを防ぐ役目を果たすための複数の孔７を設け、且つ、前記突片２の間並びに突片の間には、突条形を呈する強用リブ５を設けている。
更に、長手方向下方に向うに従い細幅形を呈する下方部表面には、使用時に靴下のずり落ち防止の役割を果たす多数の突起物８を設けている。【０００９】  上記説明の、上辺の略中央部に備えたバンド通し孔１０を有する突片４は、図２に示し後記で説明する別体の膝用の保護体１１を連結する役目を果たすものである。【００１０】  図２は図１で説明の、上端辺に備えられた突片４とバンドで着脱自在に連結される膝用の保護体１１の説明図で、該体１１は略円形を呈し、円周縁１６の略中央部の両端に、固定用バンド取付け用の孔１３を有する突片１２を対称位置に備え、その下方で、前記突片１２とは略三角形を呈する位置に、前記図１で説明の突片４とバンドで着脱自在に連結される突片１４が設けられている。【００１１】  尚、上記で説明の各突片２，３，４，１２，１４に取付けられる各バンドは図示を省略して説明している。
【産業上の利用可能性】
【００１２】  本考案は、以上説明のような構成を有するものであるから、その製造や加工上何ら障害となる阻害要因は存在しないし、高齢者が散歩のとき、心配される転倒による脛部や膝部の怪我を守り、或いは岩場の続く登山道や藪こぎ山行のとき、登山者の脛部や膝部を保護する前記記載のような数々の効果を奏する保護体を提供することができる。
【図面の簡単な説明】
【００１３】
【図１】本考案の歩行用脛保護体の全体を説明する図である。
【図２】図１の歩行用脛保護体に連結して使用される膝保護体を説明する図である。
【図３】図２の膝保護体を断面で説明する図である。
【符号の説明】
【００１４】１本体    ２，３，４突片    ５，６補強用リブ    ７孔    ８突起物    ９バンド用孔    １１膝保護体    １２，１４突片    １３，１５バンド用孔    １６円縁
【図１】
0003131975.tif 000003
【図２】
0003131975.tif 000004
【図３】
0003131975.tif 000005